(57)【要約】  細径の配管に挿通可能で、配管内をスムーズに挿通することができる光ファイバを保持する光ファイバコネクタ部品及びこの光ファイバコネクタ部品を備えた光ファイバコネクタを提供する。  光ファイバコネクタ部品は、同軸上に配設される光ファイバを挿通保持するファイバ孔を有するフェルールと、前記フェルールの基端側に配置されるストップリングと、前記フェルールとストップリングとの間に配置された付勢手段とを備えており、光ファイバコネクタは光ファイバと同軸上に接合されるハウジング及びカバー部材を有し且つ、カバー部材は固定部材により光ファイバコネクタ部品のストップリングに固定されることを特徴とする。
2012056691.tif 000002
【特許請求の範囲】
【請求項１】
光ファイバを挿通保持するファイバ孔及びフランジ部を有するフェルールと、
前記フェルールの基端側に配置されるストップリングと、
前記フェルールのフランジ部とストップリングとの間に配置されたフェルールを押圧する付勢手段と、を備えたことを特徴とする光ファイバコネクタ部品。
【請求項２】
前記フェルール、ストップリング及び付勢手段はそれらの軸線を整合して配設されている請求項１に記載の光ファイバコネクタ部品。
【請求項３】
フェルールは、フェルール本体と、前記フェルール本体と同軸に設けられると共に前記フェルール本体を保持するフェルール保持具とからなり、フェルール本体はその軸心にファイバ孔を有し、
前記フェルール保持具は前記光ファイバを挿通保持する保持部を有し、フランジ部は前記保持部よりも大径に形成され且つ、フェルール本体の基端側端部はフランジ部に装着され、
付勢手段及びストップリングは、前記フランジ部の外径以下の径を有する請求項１に記載の光ファイバコネクタ部品。
【請求項４】
先端に向けて次第に外径が細くなる先細り状に形成されているキャップを更に有し、このキャップがフェルールの先端に取付可能である請求項１に記載の光ファイバコネクタ部品。
【請求項５】
光ファイバを挿通する孔を長手方向中央部に有し且つ、ストップリングの基端側に取り付けるブーツを更に備えた請求項１に記載の光ファイバコネクタ部品。
【請求項６】
ストップリングは、ファイバ挿通孔の径方向外方に向けて突出形成された鍔部を有する請求項１に記載の光ファイバコネクタ部品。
【請求項７】
ストップリングの鍔部の基端側には流入気体が当たる風受け部を設け、フェルール本体の基端側端部には光ファイバ心線の端部をフェルール本体のファイバ孔へ案内する漏斗状凹部を形成した請求項６に記載の光ファイバコネクタ部品。
【請求項８】
ハウジングと、このハウジングに連結固定されるカバー部材と、これらハウジング及びカバー部材の連結体の内部に配置固定される請求項１に記載の光ファイバコネクタ部品と、からなることを特徴とする光ファイバコネクタ。
【請求項９】
カバー部材に固定部材挿通孔を設け、
ストップリングは鍔部及び凹部を有し、
固定部材は切欠部を有し且つ切欠部の両側に一対の脚部を形成し、カバー部材の固定部挿通孔に挿通された固定部材の一対の脚部はストップリングの凹部に嵌着すると共に固定部材の前面は付勢手段により前記鍔部に当接させ、
前記カバー部材と光ファイバコネクタ部品とを連結固定してなる請求項８に記載の光ファイバコネクタ。
【請求項１０】
光ファイバコネクタ部品のフェルール、付勢手段及びストップリングの外径は、前記ハウジング及びカバー部材のいずれの貫通孔の内径よりも小さく形成した請求項９に記載の光ファイバコネクタ。
【請求項１１】
カバー部材及び光ファイバコネクタ部品のストップリングが固定部材により連結固定されることを特徴とする請求項８に記載の光ファイバコネクタ。
【発明の詳細な説明】
【技術分野】
【０００１】
本発明は、光ファイバコネクタ部品及びこの光ファイバコネクタ部品を備えた光ファイバコネクタに関する。
【背景技術】
【０００２】
電気信号を光信号に変換して情報を伝送する光通信技術は、電気通信に比べて、通信速度を高速化することができ、また大容量のデータを送信することができる特徴を持っている。近年は、光通信技術のこのような特徴点が注目されており、新たに建築する建築物においては、建築時に光ファイバを敷設することが出来るように予め設計することが多くなり、また既存の建築物に光ファイバを敷設することも増加している。【０００３】
光ファイバを配線する方法としては、アンダーカーペット配線、露出配線、隠ぺい配線等の各種配線方法が従来から知られている。近年は、光ファイバを配線しても景観を維持することができる観点から、特に隠ぺい配線が行われる場合が多い。隠ぺい配線は、床下や天井、建築物の側壁などに、建築物の建築時に予め配管を配設しておき、この配設された配管内に光ファイバを通す配線方法である。既存の建築物に光ファイバを敷設する場合には、壁内などに配管を埋設することができないので、光ファイバを配線する前に、建築物の目につきにくい場所等に配管を予め設け、この配管内に光ファイバを通すことが行われている。【０００４】
従来は、光ファイバコネクタが先端に取り付けられた光ファイバを配管内に挿通する方法が一般的であった。しかし、光ファイバコネクタは、アダプターに接続する際や該アダプターとの接続を解除する際に使用するラッチ等の各種部材が形成された複雑な構造をしており、配管内に光ファイバを挿通する際に引っ掛かりやすく、光ファイバが断線するおそれ、又は光ファイバコネクタが破損するおそれがあった。また、光ファイバの断線や光ファイバコネクタの破損が発生すると、配管内に挿入した光ファイバを引き戻して、新たに光ファイバの接続又は光ファイバコネクタの交換を行った後に再度配管内に挿通させなければならなくなり、作業効率が非常に悪かった。【０００５】
また、配管は、建築物の構造や取り回し即ち敷設の仕方によって、屈曲したり、曲線状に配設される場合がある。光ファイバコネクタは、配管がこのように配設されている場合は特に引っ掛かりやすく、上記した光ファイバの断線、又は光ファイバコネクタの破損が発生しやすかった。【０００６】
このような問題を解決するための方法は、従来から種々検討されている。例えば、特許文献１に記載されている光コネクタは、配管内で引っ掛かりにくい形状に形成されたキャップを光コネクタに装着して、光ファイバを配管内に挿通させるもので、光ファイバを配管内にスムーズに挿通することができ、光ファイバの断線又は光コネクタの破損を低減することができるようになっている。【０００７】
また、被覆材の表面に特殊な加工を施して、光ファイバと配管の内周面との抵抗を低減するように構成して、配管内を挿通しやすくした光ファイバも従来から知られている。この光ファイバは、配管内に挿通させた後、光ファイバに光コネクタを取付固定するようになっている。【０００８】
さらに、光ファイバを配管内に挿通する方法として、光ファイバを挿通させる方向と同じ方向に圧縮空気等のガスを配管内に供給しながら配管内に光ファイバを挿通させる方法も従来から知られている。この方法によっても、光ファイバを配管内に挿通させやすくすることができ、光ファイバの断線又は光コネクタの破損を低減することができるようになった。
【先行技術文献】
【特許文献】
【０００９】
【特許文献１】国際公開ＷＯ２００８／０３６９９４号
【発明の概要】
【発明が解決しようとする課題】
【００１０】
近年は、建築物の室内空間のより有効な利用に伴い、配管の配設可能なスペースが減少傾向にある一方、光ファイバを敷設するニーズは高くなっている。そのため、新たに建設される建築物の壁内等には、より細径の配管を埋設しておくことが望まれている。また、近年は、建築物を短期間で建設するニーズも高くなっており、光ファイバを配管内に効率よく挿通させて、作業効率を向上させることも望まれている。そのためには、より細径の配管を利用して、より効率よく光ファイバを敷設することが出来るか否かが特に重要なポイントになっている。【００１１】
しかし、光ファイバコネクタを予め取り付けて配管内を挿通させていた従来の光ファイバは、最低でも光ファイバコネクタが挿通可能な内径を有する配管を建築物に配設しなければならず、配管の細径化が難しいという問題があった。特に、特許文献１記載の光コネクタの場合は、該光コネクタにキャップを装着するので、光コネクタ部分がさらに大型化してしまい、キャップ部分が通過できる一層大きな内径の配管を配設しなければならなかった。【００１２】
また、被覆材に特殊な加工を施した光ファイバをそのまま配管内に挿通させる方法では、光ファイバを配管内に挿通した後に光ファイバコネクタの組立作業を行わなくてはならなかった。そのため、敷設場所での組立作業時間が長くなってしまい、作業効率が非常に悪くなるという問題があった。【００１３】
さらに、光ファイバを挿通させる方向と同じ方向に圧縮空気等のガスを配管内に供給しながら、配管内に光ファイバを挿通させる従来の方法でも、特に屈曲したり、曲線状に配設された配管内に光ファイバを挿通させる場合には、光ファイバコネクタの引っ掛かりの問題、光ファイバコネクタの引っ掛かりに起因する光ファイバの断線又は光ファイバコネクタの破損の問題、及び光ファイバを挿通し直さなければならないことによる作業効率の低下の問題を解消することができなかった。【００１４】
本発明は、このような問題点に鑑みてなされたもので、より細径の配管内をよりスムーズかつ効率的に挿通させることが可能な光ファイバコネクタ部品、及びこの光ファイバコネクタ部品を有し、組立時の作業効率を大幅に向上することが可能な光ファイバコネクタを提供することを目的とする。
【課題を解決するための手段】
【００１５】
第１の本発明の光ファイバコネクタ部品は、
（１）光ファイバを挿通保持するファイバ孔及びフランジ部を有するフェルールと、
前記フェルールの基端側に配置されるストップリングと、
前記フェルールのフランジ部とストップリングとの間に配置されたフェルールを押圧する付勢手段と、を備えたことを特徴とする光ファイバコネクタ部品、
（２）前記フェルール、ストップリング及び付勢手段はそれらの軸線を整合して配設されている請求項１に記載の光ファイバコネクタ部品、
（３）フェルールは、フェルール本体と、前記フェルール本体と同軸に設けられると共に前記フェルール本体を保持するフェルール保持具とからなり、フェルール本体はその軸心にファイバ孔を有し、
前記フェルール保持具は前記光ファイバを挿通保持する保持部を有し、フランジ部は前記保持部よりも大径に形成され且つ、フェルール本体の基端側端部はフランジ部に装着され、
付勢手段及びストップリングは、前記フランジ部の外径以下の径を有する請求項１に記載の光ファイバコネクタ部品、
（４）先端に向けて次第に外径が細くなる先細り状に形成されているキャップを更に有し、このキャップがフェルールの先端に取付可能である請求項１に記載の光ファイバコネクタ部品、
（５）光ファイバを挿通可する孔を長手方向中央部に有し且つ、ストップリングの基端側に取り付けるブーツを更に備えた請求項１に記載の光ファイバコネクタ部品、
（６）ストップリングは、ファイバ挿通孔の径方向外方に向けて突出形成された鍔部を有する請求項１に記載の光ファイバコネクタ部品、及び
（７）ストップリングの鍔部の基端側には流入気体が当たる風受け部を設け、フェルール本体の基端側端部には光ファイバ心線の端部をフェルール本体のファイバ孔へ案内する漏斗状凹部を形成した請求項６に記載の光ファイバコネクタ部品、
を要旨とする。【００１６】
また、第２の本発明の光ファイバコネクタは、
（８）ハウジングと、このハウジングに連結固定されるカバー部材と、これらハウジング及びカバー部材の連結体の内部に配置固定される請求項１に記載の光ファイバコネクタ部品と、からなることを特徴とする光ファイバコネクタ、
（９）カバー部材に固定部材挿通孔を設け、
ストップリングは鍔部及び凹部を有し、
固定部材は切欠部を有し且つ切欠部の両側に一対の脚部を形成し、カバー部材の固定部挿通孔に挿通された固定部材の一対の脚部はストップリングの凹部に嵌着すると共に固定部材の前面は付勢手段により前記鍔部に当接させ、
前記カバー部材と光ファイバコネクタ部品とを連結固定してなる請求項８に記載の光ファイバコネクタ、及び
（１０）光ファイバコネクタ部品のフェルール、付勢手段及びストップリングの外径は、前記ハウジング及びカバー部材のいずれの貫通孔の内径よりも小さく形成した請求項９に記載の光ファイバコネクタ、
（１１）カバー部材及び光ファイバコネクタ部品のストップリングが固定部材により連結固定されることを特徴とする請求項８に記載の光ファイバコネクタ、
を要旨とする。
【発明の効果】
【００１７】
本発明の光ファイバコネクタ部品は、該光ファイバコネクタ部品を構成するフェルール、ストップリング、及び付勢手段がハウジング及びカバー部材のいずれの外形寸法よりも小さく形成されており、フェルール、ストップリング及び付勢手段を光ファイバへ取り付けて配管内を挿通させるので、細径の配管にも効率よく挿通させることが可能になる。
また、本発明の光ファイバコネクタ部品は、付勢手段及びストップリングがフェルール保持具に形成されたフランジ部の外径以下となるように形成されているので、光ファイバが配管内を挿通する際に、光ファイバコネクタ部品と配管との引っ掛かりをより低減することができ、より光ファイバを効率よく挿通しやすくすることが可能になる。
更に、本発明の光ファイバコネクタ部品は、先端に向けて次第に外径が細くなる先細り状に形成されたキャップが取り付けられるので、光ファイバが配管内を挿通する際に、さらにより光ファイバコネクタ部品と配管との引っ掛かりを低減することができ、さらにより光ファイバを効率よく挿通しやすくすることが可能になる。
その上本発明の光ファイバコネクタ部品は、ストップリングの基端側にブーツを備えたので、光ファイバコネクタ部品の基端側における配管と光ファイバコネクタ部品との引っ掛かりをより低減することができる。そのため、本発明の光ファイバコネクタ部品は、より光ファイバを効率よく挿通しやすくすることが可能になる。
また、本発明の光ファイバコネクタ部品は、鍔部がストップリングに形成されているので、配管内に供給されたガスによる力を受けやすくすることができ、光ファイバを効率よく挿通しやすくすることが可能になる。【００１８】
また、本発明の光ファイバコネクタは、ハウジングとカバー部材を連結固定して、これらハウジングとカバー部材の連結体の内部に光ファイバコネクタ部品を配置固定し、カバー部材とストップリングとを固定部材で連結固定しているので、光ファイバコネクタ部品を配管内に挿通し、対向端部から引き出した後に、カバー部材及びハウジングを該光ファイバコネクタ部品に取り付けることが可能になる。そのため、本発明の光ファイバコネクタは、細径の配管を利用して容易に光ファイバを敷設することができると共に、効率的な光ファイバの敷設が可能になる。
【図面の簡単な説明】
【００１９】
【図１】本発明の光ファイバコネクタ部品の一実施例を示す斜視図である。
【図２】図１に示す光ファイバコネクタ部品の分解斜視図である。
【図３】本発明の光ファイバコネクタの一実施例を示す斜視図である。
【図４】図３に示す光ファイバコネクタのキャップを除いた分解斜視図である。
【図５】図３に示す光ファイバコネクタのキャップを除いた縦断面図である。
【図６】光ファイバコネクタ部品の光ファイバへの取付工程を表す説明図である。
【図７】光ファイバコネクタの組立工程を表す説明図である。
【発明を実施するための形態】
【００２０】
本発明に係る光ファイバコネクタ部品の構成を図１及び図２に基づいて説明する。本明細書においては、光ファイバに関して「先端」、「基端」、「上」、「下」、「左」、「右」は、図１に示す方向を言う。
【００２１】
（光ファイバコネクタ部品１の構成）
図１及び図２に示すように、第１の本発明の実施の形態に係る光ファイバコネクタ部品１は、後述するカバー部材３２及びハウジング３３と共に第２の本発明の光ファイバコネクタ３１を構成する部品である。光ファイバコネクタ部品１は、フェルール２、付勢手段としてのコイルスプリング３、ストップリング４及びブーツ５から構成されている。フェルール２、コイルスプリング３、ストップリング４及びブーツ５は軸心を整合し、それぞれの基端側から光ファイバ６を順次挿通することができるよう配列されている。光ファイバ６は、光ファイバ心線６ａと、該光ファイバ心線６ａの周囲に樹脂材料等で形成された被覆材６ｂとから構成されている。なお、説明の便宜上、図２における光ファイバ６は光ファイバ心線６ａが被覆材６ｂから剥き出しになっている状態で表しているが、通常は、光ファイバ心線６ａが被覆材６ｂに覆われた状態で、コイルスプリング３、ストップリング４及びブーツ５の中を挿通させる。また、本実施の形態で使用する光ファイバ６には、従来から公知であるものを任意に使用することが可能である。
【００２２】
フェルール２は、光ファイバ６を基端側から挿通して、該光ファイバ６を保持するためのものである。図２に示すように、フェルール２は、フェルール本体７とフェルール保持具８とから構成されている。フェルール本体７は、先端が先細りのテーパ状に形成された部材であり、ジルコニア等の各種セラミックス材料で形成されている。フェルール本体７は、光ファイバ心線６ａが挿通可能なファイバ孔９を有している。ファイバ孔９は、光ファイバ心線６ａを挿通保持するための孔で、該光ファイバ心線６ａを挿通することができるとともに、挿通した光ファイバ心線６ａを接着剤で固着することができる径及び長さに形成されている。上記の通り、図５に示すように、このファイバ孔９の基端側は、端部に向けて孔径が広がるテーパ状、即ち漏斗状の開口部が形成されており、光ファイバ心線６ａがファイバ孔９に挿入されやすくなるように形成されている。
【００２３】
フェルール保持具８は、フェルール本体７を保持するためのもので、例えばステンレス等の金属材料で形成されている。フェルール保持具８は、光ファイバ６を挿通保持する保持部１０と、保持部１０よりも大径に形成されたフランジ部１１とを有している。また、フェルール保持具８は、光ファイバ６が挿通可能な内径の光ファイバ挿通孔１２と、フェルール本体７が挿通可能な内径のフェルール本体挿入孔１３とが形成されている。これら光ファイバ挿通孔１２とフェルール本体挿入孔１３はフランジ部１１内で連通しており、中心軸が互いに同軸上に位置するように形成されている。また、これら光ファイバ挿通孔１２及びフェルール本体挿入孔１３は、ファイバ孔９とも同軸になるように形成されている。
【００２４】
図５に示すように、光ファイバ挿通孔１２の内径は、フェルール本体挿入孔１３の内径よりも小径に形成され、且つフェルール本体挿入孔１３に挿入されるフェルール本体７の基端側の漏斗状開口部に対応し開口している。また、光ファイバ挿通孔１２の内径は、フェルール本体７の基端側に形成された漏斗状の開口部と略同じ径に形成されており、光ファイバ挿通孔１２の内部を挿通される光ファイバ心線６ａがこの漏斗状の開口部からスムーズにファイバ孔９の内部へ挿通されるようになっている。
【００２５】
保持部１０は、前後方向に延びるように円筒状に形成されており、内部に光ファイバ挿通孔１２が形成されている。なお、保持部１０は光ファイバ挿通孔１２内に挿通される光ファイバ６を接着剤で確実に固着することができればよく、長さは特に限定されない。
【００２６】
フランジ部１１は、フェルール保持具８において保持部１０の先端側に形成されており、該保持部１０の外径よりも大径になるように形成されている。図２から分るように、フランジ部１１は正面から見た場合の形状が六角形状となるように形成されている。フランジ部１１が六角形状に形成されているのは、後述する光ファイバコネクタ３１のハウジング３３が取り付けられた際に、フェルール２の位置決め及び光ファイバ心線６ａの軸心の調整を可能にするためである。そのため、ハウジング３３にも、フランジ部１１が嵌合可能な六角形状の孔部が設けられている。
【００２７】
また、フランジ部１１には、先端側にテーパ部１１ａが形成されており、後述するハウジング３３の第２貫通孔４２に形成されたテーパ受け部４３と当接することができるように形成されている。また、テーパ部１１ａには切り欠き１５が形成されている。この切り欠き１５は、光ファイバ心線６ａの軸心を調整する際に用いる冶具を取り付けるためのものである。また、フランジ部１１の内部に形成した小径の光ファイバ挿通孔１２が開口する大径のフェルール本体挿入孔１３の基端側端部の内側周縁にショルダ部４６が形成されており、フェルール本体７の基端側端部がフランジ８のフェルール本体挿入孔１３に挿入されると共にこのショルダ部４６に当接し、保持される。
【００２８】
図５に示すように、フランジ部１１から保持部１０に続く部分には段差部１６が形成されている。この段差部１６は、コイルスプリング３の先端と当接するように形成されている。また、段差部１６から保持部１０にかけて連続する箇所には、コイルスプリング３を構成する金属線の半径と同じ半径のアール部が形成されている。
【００２９】
なお、フェルール保持具８は、フェルール本体７を支持することができるとともに、挿通された光ファイバ６を接着固定することができるものであれば、金属材料以外のもので形成してもよい。
【００３０】
コイルスプリング３は、フェルール２即ちフェルール保持具８のフランジ部１１の段部１６とストップリング４との間に位置するように配置されている。コイルスプリング３は、内部にフェルール保持具８の保持部１０と、該保持部１０の光ファイバ挿通孔１２に挿通された光ファイバ６とが挿通することが可能な大きさに形成されている。このコイルスプリング３としては、従来から公知のものを使用することができ、その材質は特に限定されるものではない。
【００３１】
ストップリング４は、フェルール２及びコイルスプリング３の基端側に配置されている部材で、ステンレス等の各種金属材料で形成されている。ストップリング４は、先端側に鍔部１７が形成され、鍔部１７よりも基端側に受け部１８が形成されている。これら鍔部１７と受け部１８の間には、外径が、これら鍔部１７及び受け部１８の外径よりも小径になるように形成された凹部１９が形成されている。また、図５に示すように、ストップリング４には、光ファイバ６が挿通可能な大きさに形成されたファイバ挿通孔２０が貫通形成されている。
【００３２】
鍔部１７は、本願発明の風受け部として機能する部分であり、ファイバ挿通孔２０の外方に向けて、フランジ状に突出形成されている。鍔部１７の後端側には風受け部２１が形成されている。風受け部２１は、光ファイバ６を配管内に挿通する場合、該配管内に光ファイバ６を挿通する方向と同じ方向に供給されるガスの流れによる力を受ける面である。
【００３３】
受け部１８は、ブーツ５の挿入位置を決めるための受け部分であり、鍔部１７の後方即ち基端側にファイバ挿通孔２０の外方即ち半径方向外側に向けてフランジ状に突出形成されている。受け部１８は、凹部１９を介して鍔部１７と前後方向に間隔を開け、連続して位置するように配置されている。受け部１８の外径は鍔部１７の外径と同じでもよいし、フランジ部１１の外径以下の範囲内で異なっていてもよいが、光ファイバ６を配管内に挿通させる際の配管と光ファイバ部品１との引っ掛かりを防止するために、受け部１８の外径は鍔部１７の外径以下であることが好ましい。
【００３４】
また、本実施の形態では、受け部１８の外径は、取り付けられたブーツ５の外径と同じになるように形成されているが、受け部１８の外径は、ブーツ５の外径と異なっていてもよい。また、光ファイバ６を配管内に挿通させる際の配管と光ファイバ部品１との引っ掛かりをより解消させる観点から、受け部１８の外径は、フランジ部１１の外径以下であって、ブーツ５の外径以上であることが好ましい。
【００３５】
ストップリング４には、受け部１８の基端側にブーツ取付部２２が延出形成されている。ブーツ取付部２２は、ストップリング４の基端側に位置するブーツ５を取り付けるためのもので、ブーツ取付部２２の外周面がブーツ５によって覆われるようにして取り付けられるように構成されている。また、ブーツ取付部２２の外径は、ブーツ５の内径よりも大きくなるように形成されており、ブーツ取付部２２に押圧嵌着して取り付けたブーツ５が抜けないよう形成されている。なお、ブーツ５の抜け止めを防止する観点からは、ブーツ取付部２２の外周面には、例えば網目状のローレット加工等を施しておくことが望ましい。
【００３６】
図５に示すように、フェルール２のフランジ部１１の外径ｈ１、コイルスプリング３の外径ｈ２及びストップリング４の鍔部１７の外径ｈ３は、後述するハウジング３３の外形寸法ｄ１及びカバー部材３２の外形寸法ｄ２よりも小さくなるように形成されている。なお、コイルスプリング３の外径ｈ２及びストップリングの鍔部１７の外径ｈ３は、コイルスプリングの両端部を各々係止させるためフランジ部１１の外径ｈ１以下であることが好ましい。コイルスプリング３及びストップリング４を上記の大きさにすることで、光ファイバ６を配管内に挿通する際に、光ファイバコネクタ部品１が配管内で引っ掛かりを防止し、またはその虞を大幅に減少せしめるものである。
【００３７】
なお、鍔部１７の外径ｈ３は、フランジ部１１の外径ｈ１以下であれば、コイルスプリング３の外径ｈ２より大径でもよい。また、鍔部１７の外径ｈ３は、コイルスプリングの端部を係止することが出来ればコイルスプリング３の外径ｈ２と同じでもよいし、小径でもよい。また、鍔部１７の外径ｈ３と受け部１８の外径は、同じであってもよいし、異なっていてもよい。ただし、光ファイバ６を配管内に挿通する際、光ファイバ６を挿通する方向と同じ方向に供給されるガスの力を受けやすくする観点から、鍔部１７の外径ｈ３は、受け部１８の外径よりも大径であることが好ましい。
【００３８】
ブーツ５は、ストップリング４の基端側から延出する光ファイバ６が過度に屈曲して断線することを防止すると共に、配管内に光ファイバ６を挿通させる際に、ストップリング４が露出し配管内に当接、引っ掛かるのを防止するために設けられている。ブーツ５は、樹脂等で成形された部材であり、基端側へ行くにつれて徐々に外径が細くなるように形成されている。
図５に示すように、ブーツ５には、ストップリング４のブーツ取付部２２の外径よりも若干小径の孔が貫通形成されており、ブーツ取付部２２に取り付ける際に押圧により弾性変形して取り付けられるよう形成されている。また、ブーツ５の先端側の外径は、ストップリング４の受け部１８の外径と略同一になるように形成されている。
【００３９】
キャップ２３は、樹脂等の材料で成形された部材であり、基端側から先端側に向けて次第に外径が細くなる先細り状に形成されている。このキャップ２３は、フェルール本体７の先端に着脱自在に取り付けられており、光ファイバ６を配管の内部に挿通させる際にはフェルール本体７に取り付け、他の光ファイバ６と接続する際には取り外ずして使用される。
【００４０】
（光ファイバコネクタ３１の構成）
次に、第２の発明に係る光ファイバコネクタ３１の構成を図３から図５に基づいて説明する。光ファイバコネクタ３１は、上記した光ファイバコネクタ部品１を備えている。なお、光ファイバコネクタ部品１であるフェルール２、コイルスプリング３、ストップリング４及びブーツ５の構成は前記した通りであるから、説明を省略する。
【００４１】
光ファイバコネクタ３１は、カバー部材３２、ハウジング３３及び固定部材３４を備えている。カバー部材３２及びハウジング３３は、それぞれの基端側から、光ファイバコネクタ部品１を取り付けた光ファイバ６を挿通することができるよう長手方向の孔を有しており、これらカバー部材３２及びハウジング３３は共に連結固定することで連結体を形成している。また、固定部材３４は、カバー部材３２とストップリング４とを連結固定するための部材である。
【００４２】
カバー部材３２は、ハウジング３３に挿入し連結固定することが可能な部材であり、各種樹脂材料で成形されている。カバー部材３２は、ハウジング３３の内部に挿入される挿入部３５と、挿入部３５の基端側端部の壁部に形成された固定部３６とを有する。また、カバー部材３２には、フェルール保持具８のフランジ部１１が挿通可能な大きさの径を有し、ストップリングが挿通する第１貫通孔３７が設けられている。挿入部３５は、ハウジング３３の後述する挿入孔に挿入可能な大きさに形成されており、左右両側壁には、左右方向に突出する楔形の突出片３８が形成されている。ストップリングを固定するための固定部３６は、上下方向に貫通形成された固定部材挿通孔３９が設けられている。固定部材挿通孔３９は、カバー部材３２の基端側端部の壁部と第１貫通孔３７とを垂直方向に貫通するよう軸線を整合して形成されており、固定部材３４が固定部材挿通孔３９内を挿通することが可能な大きさに形成されている。なお、本実施の形態では、固定部材挿通孔３９は固定部材３４の形状に応じて矩形状に形成されているが、カバー部材を固定する固定部材３４を挿入することが可能であれば、形状は任意に変更してもよい。なお、ハウジング３３とカバー部材３２とを連結させて形成された連結体の内部には、ストップリング４、コイルスプリング３及びフランジ部１１と保持部１０から成るフェルール保持具８が配置される。
【００４３】
固定部材３４は、例えばステンレス等の金属で形成された板状の部材で、カバー部材３２に形成された固定部材挿通孔３９と嵌入することができるような板厚及び板幅を有している。固定部材３４は、下側から上側に向けて切り欠かれた切欠部４０が設けられて、切欠部４０の左右両側には、一対の脚部４１ａ，４１ｂが形成されている。一対の脚部４１ａ，４１ｂは、固定部材３４を固定部材挿通孔３９内に嵌入したときに、ストップリング４に形成された凹部１９の外周側に位置し、脚部４１ａ及び４１ｂの前面が鍔部１７の後面と当接するように配置される。
【００４４】
ハウジング３３は、光ファイバコネクタ部品１のうちのコイルスプリング３の先端側部分、フェルールの保持具８の前端部及びフェルール２の周囲を覆うように位置する部材で、各種樹脂材料で形成されている。ハウジング３３を形成する材料は、カバー部材３２と同じものを使用してもよいし、別のものを使用してもよい。
【００４５】
ハウジング３３は、直方体状に形成されており、先端と基端の間を第２貫通孔４２が貫通するように形成されている。図５に示すように、第２貫通孔４２の中間部には、小径のテーパ受け部４３が形成されている。テーパ受け部４３は、基端から先端に向けて内径が小さくなるテーパ状に形成されており、フェルール保持具８のフランジ部１１に形成されたテーパ部１１ａと当接、係合することが可能となるように形成されている。また、テーパ受け部４３の先端側及び基端側の両端部間には、該テーパ受け部４３及びフランジ部１１よりも大径のフェルール保持具挿入孔４７が形成されており、このフェルール保持具挿入孔４７と第２貫通孔４２の両側とは互いに連通しており、第２貫通孔４２の、基端から先端までが軸心を整合して貫通するように形成されている。フェルール保持具８は、フランジ部１１のテーパ部１１ａとテーパ受け部４３とが当接することにより先端側の位置が決定される。
【００４６】
また、ハウジング３３は、左右方向の側面で、カバー部材３２を取り付けた時に該カバー部材３２の突出片３８が位置する場所と対応する部分に係合孔４４が形成されている。この係合孔４４は、突出片３８と係合することが可能な大きさに形成されており、側面の外周側まで貫通するように形成されているが、この係合孔４４は、突出片３８と係合することが出来ればよく、貫通していなくてもよい。
【００４７】
ハウジング３３には、上面にラッチ４５が形成されている。ラッチ４５は、図示しないコネクタカバーの取り付け及び取外しに使用するもので、図５に示すＡ方向に弾性変形することができるように形成されている。また、ハウジング３３の上面には、基端側の端面から先端側に向けて嵌合溝４８が形成されている。嵌合溝４８は、カバー部材３２がハウジング３３の基端側から挿入される際に、ハウジング３３が弾性変形しやすくするためのもので、該ハウジング３３に挿入されたカバー部材３２の先端が位置するところまで形成されている。
【００４８】
（光ファイバコネクタ部品１の取付方法及び光ファイバ６の配管１００への挿通方法）
次に、光ファイバコネクタ部品１の光ファイバ６への取付方法を図６（ａ）乃至図６（ｈ）に基づいて説明する。まず、ブーツ５を光ファイバ６に挿通する（図６（ａ））。ブーツ５は、該ブーツ５に形成された孔の基端側から光ファイバ６の先端を挿入し、先端側から光ファイバ６が抜け出る位置まで挿通する。次に、ストップリング４を光ファイバ６に挿通する（図６（ｂ））。ストップリング４は、ファイバ挿通孔２０の基端側から光ファイバ６の先端を挿入し、該ストップリング４の先端側から光ファイバ６が抜け出る位置まで挿通する。そして、ブーツ５の孔にストップリング４のブーツ取付部２２を圧入する。ストップリング４は、受け部１８の後端面がブーツ５の先端面と当接する位置まで圧入する。次に、コイルスプリング３を光ファイバ６に挿通させる（図６（ｃ））。コイルスプリング３は、基端側から光ファイバ６の先端を挿入し、該コイルスプリング３の先端側から光ファイバ６が抜け出る位置まで挿通させる。次に、光ファイバ６の先端部の被覆材６ｂを取り除き、光ファイバ心線６ａを剥き出しにする（図６ｄ））。そして、フェルール２に光ファイバ６を挿通する（図６（ｅ））。フェルール２のファイバ孔９及び光ファイバ挿通孔１２には予め接着剤が注入されている。このフェルール２の保持部１０の基端側から光ファイバ心線６ａの先端を挿入し、該光ファイバ心線６ａの先端がフェルール本体７の先端と略面一になるまで挿入する。このようにして、本発明の光ファイバコネクタ部品１は、光ファイバ６に取り付けられる。
【００４９】
次に、光ファイバコネクタ部品１を取り付けた光ファイバ６を配管１００内に挿通させる際の方法について説明する。光ファイバ６を配管１００内に挿通させる場合は、挿通させる前に、まずフェルール本体７の先端にキャップ２３を取り付ける（図６（ｆ）、図６（ｇ））。フェルール本体７の先端にキャップ２３を取り付けることで、光ファイバ６を配管１００内に挿通させる際にフェルール本体７及び光ファイバ心線６ａの先端を保護することができ、また、配管１００の内面とフェルール本体７との引っ掛かり等を防止することが可能になる。次に、光ファイバコネクタ部品１を取り付けた光ファイバ６を配管１００内に挿通する（図６（ｈ））。図６（ｈ）に示すように、本実施の形態では、光ファイバコネクタ部品１を光ファイバ６に取り付けた状態で配管１００を挿通させる。図５に示すように光ファイバコネクタ部品１の中で最も大径となるフランジ部１１の径ｈ１は、ハウジングの幅ｄ１と対比するとｈ１＜ｄ１の関係にある。そのため、従来の如くファイバコネクタ部品にカバー部材及びハウジングを装着してから配管内に挿通するのに比較して本発明は光ファイバ６を挿通させる配管１００の内径を大幅に細径化しても、該配管１００内に光ファイバ６を容易に挿通させることが可能になる。また、従来と同様の大きな径の配管を使用する場合には、より多くの本数の光ファイバ６を同時に挿通させることも可能になる。また、複数本の光ファイバ６を挿通させる場合に配管１００を細径化することも可能になる。
【００５０】
なお、光ファイバ６を配管１００内に挿通する際は、配管１００内に、光ファイバ６を挿通する方向と同じ方向に圧縮空気等のガスを供給することが好ましい。配管１００内にガスを供給することで、鍔部１７の風受け部２１にガスが当たり、光ファイバ６に対して、光ファイバ６が押される方向に圧縮空気等の流体ガスの力が作用する。そのため、光ファイバ６は、よりスムーズに配管１００内を挿通するようになる。
【００５１】
（光ファイバコネクタ３１の組立方法）
次に、光ファイバを配管内に挿通した後に光ファイバコネクタを組み立てる方法を図７（ａ）乃至図７（ｅ）基づいて説明する。まず、カバー部材３２を光ファイバコネクタ部品１に取り付ける（図７（ａ））。カバー部材３２の第１貫通孔３７の基端側からフェルール本体７の先端を挿通し、固定部材挿通孔３９の位置がストップリング４に形成されている凹部１９の位置と一致するところまで移動される（図７（ｂ））。次に、固定部材３４を固定部材挿通孔３９に嵌着させて、カバー部材３２とストップリング４とを連結固定する（図７（ｃ））。次に、ハウジング３３を光ファイバコネクタ部品１に取り付ける（図７（ｄ））。ハウジング３３の第２貫通孔４２の基端側からフェルール本体７の先端が挿通される。そして、ハウジング３３は、第２貫通孔４２の基端側からカバー部材３２に形成されている挿入部３５が挿入される。挿入部３５は、突出片３８と係合孔４４とが係合するまで挿入され、これら突出片３８と係合孔４４とを係合させ、本実施の形態の光ファイバコネクタ５１が組み立てられる（図７（ｅ））。
【００５２】
このとき、図５に示すように、ハウジング３３とカバー部材３２の連結体の内部には空間が形成される。この空間の長手方向の長さＬ１は、コイルスプリング３の自然長即ちコイルスプリングの圧縮前の長さよりも短くなるように形成されている。そのため、ハウジング３３とカバー部材３２の連結体の内部では、コイルスプリング３は自然長よりも短くなる軸線方向に圧縮され、固定部材で固定されたストップリング４に対して常にフェルール２を先端側へ向けて押す方向に力を加えて、フェルール保持具に装着されたフェルール２が常に先端側に付勢された状態を維持する。なお、このとき、フェルール保持具８のフランジ部１１は、ハウジング３３内に形成された六角形状の孔に嵌め込まれている。仮に、光ファイバ６を回転させる場合には、専用の冶具を用いてフェルール保持具８をコイルスプリング３のバネ力に抗して後方へ押してフランジ部１１と六角形の孔との嵌合を解除した後に所定方向へ回転させる。そして、回転させた後に再度フランジ部１１と六角形の孔とを嵌合させる。このように回転させることで、回転前と回転後とで光ファイバ６の芯の位置を調整、変化させることが可能になる。
【００５３】
このように、本実施の形態の光ファイバコネクタ部品１は、フェルール２、ストップリング４及びブーツ５を光ファイバ６に取り付けた状態で配管内を挿通させることができるので、細径の配管を使用しても確実に光ファイバ６を挿通させることが可能になる。また、一つの配管内に複数本の光ファイバ６を挿通させる場合でも、細径の配管を使用することができる。さらに、配管の内周面、ストップリング４の鍔部１７及び受け部１８の外周面との間には所定寸法の間隙が形成されている。本実施の形態の光ファイバコネクタ部品１は、ストップリング４の鍔部１７に風受け部２１を設けているので、光ファイバ６を配管内に挿通させる際、該光ファイバ６が挿通する方向と同じ方向にガスを供給するときに、前記間隙に流入するガスにより押圧する力を受け、推進力を増加することが可能となる。そのため、本実施の形態の光ファイバコネクタ部品１は、配管内をスムーズに挿通しやすくなり、該配管内での引っ掛かり、又はこの引っ掛かりにより生じる光ファイバ６の断線若しくは光ファイバコネクタ部品１の破損を防止することが可能になる。
【００５４】
また、本実施の形態の光ファイバコネクタ３１は、光ファイバコネクタ部品１を配管内に挿通させた後にカバー部材３２及びハウジング３３を組み付けるので、配管内でのカバー部材３２やハウジング３３の破損のおそれを解消することができ、光ファイバコネクタ３１の他の部品への接続の信頼性を向上させることが可能になる。
【実施例】
【００５５】
（実施例１）
光ファイバコネクタ部品の組み付け：
本実施例では、直径０．９ｍｍ、長さ２００ｍの光ファイバを準備した。次に、ブーツ５、ストップリング４、及びコイルスプリング３を順次光ファイバ６の先端から挿通させ、挿通後、光ファイバ６の先端部の被覆を取り除いてファイバ心線６ａを剥き出しにした。そして、フェルール２に光ファイバ６の先端部を挿通保持して、フェルール本体７の先端にキャップ２３を取り付けた。なお、実施例１におけるストップリング４は、先端に鍔部が形成されているものを用い、光ファイバ６は、被覆材の表面に特殊な加工を施していないものを用いた。【００５６】
（搬送試験）
次に、光ファイバ６を送り出す繰り出し機を用意し、先端に光ファイバコネクタ部品１を取り付けた光ファイバ６を繰り出し機にセットした。次に、内径３０ｍｍ、長さ１００ｍの配管を準備し、光ファイバコネクタ部品１を付けた光ファイバ６を配管の後端から配管の中に挿通可能な状態に配置し、圧力０．８ＭＰａの空気を配管内に供給しながら、光ファイバ６の配管内への挿通を開始した。繰り出し機には、光ファイバ６の繰り出し長さを表示するカウンタが設けられており、光ファイバ６が繰り出されているときはこのカウンタでのカウント値が変化するので、搬送試験においてはカウンタ値の変化の有無を目視することにより、光ファイバ６が配管内を挿通しているか否かを判断した。搬送試験において、上記カウンタが継続的に動作しており、さらに配管の前端側から光ファイバ６が抜け出た場合には○と評価した。また、配管の前端側から光ファイバ６が抜け出す前に上記カウンタが動作しなくなった場合には、配管の途中で光ファイバ６の引っ掛かりが生じたものと考え、×と評価した。実施例１における搬送試験の結果を表１に示す。【００５７】
（実施例２）
実施例２では、ブーツ５を用いなかった以外は実施例１と同様にして光ファイバコネクタ部品１を光ファイバ６に取り付けた。そして、実施例１と同様の条件で搬送試験を行った。実施例２における搬送試験の結果を表１に示す。【００５８】
（比較例１）
比較例１では、実施例１と同様の光ファイバ６を準備し、実施例１と同様の条件で搬送試験を行った。なお、比較例１で用いた光ファイバ６には、ブーツ５、ストップリング４、コイルスプリング３及びフェルール２を組み付けていないものを用いた。比較例１における搬送試験の結果を表１に示す。【００５９】
表１に示す通り、風受け部２１を形成したストップリング４を装着した本発明の方が、ガスの流れに伴って受ける力が大きくなり、この力が光ファイバ６の配管内の挿通に大きく寄与することが分かった。【００６０】
【表１】
2012056691.tif 000003
【符号の説明】
【００６１】
１  光ファイバコネクタ部品
２  フェルール
３  コイルススプリング
４  ストップリング
５  ブーツ
６  光ファイバ
６ａ  光ファイバ心線
７  フェルール本体
８  フェルール保持具
９  ファイバ孔
１０  保持部
１１  フランジ部
１２  光ファイバ挿通孔
１３  フェルール本体挿入孔
１７  鍔部
１８  受け部
１９  凹部
２０  ファイバ挿通孔
２１  風受け部
２２  ブーツ取付部
２３  キャップ
３１  光ファイバコネクタ
３２  カバー部材
３３  ハウジング
３４  固定部材
３５  挿入部
３６  固定部
３９  固定部材挿通孔
４６  ショルダ部
４７  フェルール保持具挿入孔
１００  配管
【図１】
2012056691.tif 000004
【図２】
2012056691.tif 000005
【図３】
2012056691.tif 000006
【図４】
2012056691.tif 000007
【図５】
2012056691.tif 000008
【図６】
2012056691.tif 000009
【図７】
2012056691.tif 000010
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
軸心に光ファイバを挿通保持するファイバ孔を有するフェルール本体、前記フェルール本体と同軸に設けられ、前記光ファイバを挿通保持する保持部を有すると共に、前記フェルール本体の基端側端部を保持するフランジ部を有し、前記フランジ部は前記保持部よりも大径に形成されたフェルール保持具を備えたフェルールと、
前記フェルールの基端側に配置されるストップリングと、
前記フェルールのフランジ部とストップリングとの間に配置されたフェルールを押圧する付勢手段とから構成され、
付勢手段及びストップリングは、前記フランジ部の外径以下の径を有することを特徴とする光ファイバコネクタ部品。
【請求項２】
前記フェルール、ストップリング及び付勢手段はそれらの軸線を整合して配設されている請求項１に記載の光ファイバコネクタ部品。
【請求項３】
（削除）
【請求項４】
先端に向けて次第に外径が細くなる先細り状に形成されているキャップを更に有し、このキャップがフェルールの先端に取付可能である請求項１に記載の光ファイバコネクタ部品。
【請求項５】
光ファイバを挿通する孔を長手方向中央部に有し且つ、ストップリングの基端側に取り付けるブーツを更に備えた請求項１に記載の光ファイバコネクタ部品。
【請求項６】
ストップリングは、ファイバ挿通孔の径方向外方に向けて突出形成された鍔部を有する請求項１に記載の光ファイバコネクタ部品。
【請求項７】
ストップリングの鍔部の基端側には流入気体が当たる風受け部を設け、フェルール本体の基端側端部には光ファイバ心線の端部をフェルール本体のファイバ孔へ案内する漏斗状凹部を形成した請求項６に記載の光ファイバコネクタ部品。
【請求項８】
ハウジングと、
このハウジングに連結固定されるカバー部材と、
これらハウジング及びカバー部材の連結体の内部に配置固定され、軸心に光ファイバを挿通保持するファイバ孔を有するフェルール本体、前記フェルール本体と同軸に設けられ、前記光ファイバを挿通保持する保持部を有すると共に、前記フェルール本体の基端側端部を保持するフランジ部を有し、前記フランジ部は前記保持部よりも大径に形成されたフェルール保持具を備えたフェルールと、前記フェルールの基端側に配置されるストップリングと、前記フェルールのフランジ部とストップリングとの間に配置されたフェルールを押圧する付勢手段とから構成され、付勢手段及びストップリングは、前記フランジ部の外径以下の径を有する光ファイバコネクタ部品と、
カバー部材及び光ファイバコネクタ部品を固定する固定部材と、から構成され、
カバー部材に固定部材挿通孔を形成し、
ストップリングは鍔部及び凹部を有し、
固定部材は切欠部を有し且つ切欠部の両側に一対の脚部を形成し、カバー部材の固定部挿通孔に挿通される固定部材の一対の脚部はストップリングの凹部に嵌着すると共に固定部材の前面は付勢手段により前記鍔部に当接され、カバー部材と光ファイバコネクタ部品とを連結固定してなることを特徴とする光ファイバコネクタ。
【請求項９】
（削除）
【請求項１０】
光ファイバコネクタ部品のフェルール、付勢手段及びストップリングの外径は、前記ハウジング及びカバー部材のいずれの貫通孔の内径よりも小さく形成した請求項８に記載の光ファイバコネクタ。
【請求項１１】
カバー部材及び光ファイバコネクタ部品のストップリングが固定部材により連結固定されることを特徴とする請求項８に記載の光ファイバコネクタ。
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
軸心に光ファイバを挿通保持するファイバ孔を有するフェルール本体、前記フェルール本体と同軸に設けられ、前記光ファイバを挿通保持する保持部を有すると共に、前記フェルール本体の基端側端部を保持するフランジ部を有し、前記フランジ部は前記保持部よりも大径に形成されたフェルール保持具を備えたフェルールと、
前記フェルールの基端側に配置されるストップリングと、
前記フェルールのフランジ部とストップリングとの間に配置されたフェルールを押圧する付勢手段とから構成され、
付勢手段及びストップリングは、前記フランジ部の外径以下の径を有することを特徴とする光ファイバコネクタ部品。
【請求項２】
前記フェルール、ストップリング及び付勢手段はそれらの軸線を整合して配設されている請求項１に記載の光ファイバコネクタ部品。
【請求項３】
先端に向けて次第に外径が細くなる先細り状に形成されているキャップを更に有し、このキャップがフェルールの先端に取付可能である請求項１に記載の光ファイバコネクタ部品。
【請求項４】
光ファイバを挿通する孔を長手方向中央部に有し且つ、ストップリングの基端側に取り付けるブーツを更に備えた請求項１に記載の光ファイバコネクタ部品。
【請求項５】
ストップリングは、ファイバ挿通孔の径方向外方に向けて突出形成された鍔部を有する請求項１に記載の光ファイバコネクタ部品。
【請求項６】
ストップリングの鍔部の基端側には流入気体が当たる風受け部を設け、フェルール本体の基端側端部には光ファイバ心線の端部をフェルール本体のファイバ孔へ案内する漏斗状凹部を形成した請求項５に記載の光ファイバコネクタ部品。
【請求項７】
ハウジングと、
このハウジングに連結固定されるカバー部材と、
これらハウジング及びカバー部材の連結体の内部に配置固定され、軸心に光ファイバを挿通保持するファイバ孔を有するフェルール本体、前記フェルール本体と同軸に設けられ、前記光ファイバを挿通保持する保持部を有すると共に、前記フェルール本体の基端側端部を保持するフランジ部を有し、前記フランジ部は前記保持部よりも大径に形成されたフェルール保持具を備えたフェルールと、前記フェルールの基端側に配置されるストップリングと、前記フェルールのフランジ部とストップリングとの間に配置されたフェルールを押圧する付勢手段とから構成され、付勢手段及びストップリングは、前記フランジ部の外径以下の径を有する光ファイバコネクタ部品と、
カバー部材及び光ファイバコネクタ部品を固定する固定部材と、から構成され、
カバー部材に固定部材挿通孔を形成し、
ストップリングは鍔部及び凹部を有し、
固定部材は切欠部を有し且つ切欠部の両側に一対の脚部を形成し、カバー部材の固定部材挿通孔に挿通される固定部材の一対の脚部はストップリングの凹部に嵌着すると共に固定部材の前面は付勢手段により前記鍔部に当接され、カバー部材と光ファイバコネクタ部品とを連結固定してなることを特徴とする光ファイバコネクタ。
【請求項８】
光ファイバコネクタ部品のフェルール、付勢手段及びストップリングの外径は、前記ハウジング及びカバー部材のいずれの貫通孔の内径よりも小さく形成した請求項７に記載の光ファイバコネクタ。
【請求項９】
カバー部材及び光ファイバコネクタ部品のストップリングが固定部材により連結固定されることを特徴とする請求項７に記載の光ファイバコネクタ。
【手続補正２】
【補正対象書類名】明細書
【補正対象項目名】００１６
【補正方法】変更
【補正の内容】
【００１６】
また、第２の本発明の光ファイバコネクタは、
（８）ハウジングと、このハウジングに連結固定されるカバー部材と、これらハウジング及びカバー部材の連結体の内部に配置固定される請求項１に記載の光ファイバコネクタ部品と、からなることを特徴とする光ファイバコネクタ、
（９）カバー部材に固定部材挿通孔を設け、
ストップリングは鍔部及び凹部を有し、
固定部材は切欠部を有し且つ切欠部の両側に一対の脚部を形成し、カバー部材の固定部材挿通孔に挿通された固定部材の一対の脚部はストップリングの凹部に嵌着すると共に固定部材の前面は付勢手段により前記鍔部に当接させ、
前記カバー部材と光ファイバコネクタ部品とを連結固定してなる請求項８に記載の光ファイバコネクタ、及び
（１０）光ファイバコネクタ部品のフェルール、付勢手段及びストップリングの外径は、前記ハウジング及びカバー部材のいずれの貫通孔の内径よりも小さく形成した請求項９に記載の光ファイバコネクタ、
（１１）カバー部材及び光ファイバコネクタ部品のストップリングが固定部材により連結固定されることを特徴とする請求項８に記載の光ファイバコネクタ、
を要旨とする。
【手続補正３】
【補正対象書類名】明細書
【補正対象項目名】００５１
【補正方法】変更
【補正の内容】
【００５１】
（光ファイバコネクタ３１の組立方法）
次に、光ファイバを配管内に挿通した後に光ファイバコネクタを組み立てる方法を図７（ａ）乃至図７（ｅ）基づいて説明する。まず、カバー部材３２を光ファイバコネクタ部品１に取り付ける（図７（ａ））。カバー部材３２の第１貫通孔３７の基端側からフェルール本体７の先端を挿通し、固定部材挿通孔３９の位置がストップリング４に形成されている凹部１９の位置と一致するところまで移動される（図７（ｂ））。次に、固定部材３４を固定部材挿通孔３９に嵌着させて、カバー部材３２とストップリング４とを連結固定する（図７（ｃ））。次に、ハウジング３３を光ファイバコネクタ部品１に取り付ける（図７（ｄ））。ハウジング３３の第２貫通孔４２の基端側からフェルール本体７の先端が挿通される。そして、ハウジング３３は、第２貫通孔４２の基端側からカバー部材３２に形成されている挿入部３５が挿入される。挿入部３５は、突出片３８と係合孔４４とが係合するまで挿入され、これら突出片３８と係合孔４４とを係合させ、本実施の形態の光ファイバコネクタ３１が組み立てられる（図７（ｅ））。
【国際調査報告】
2012056691.tif 000011
2012056691.tif 000012